(57)【特許請求の範囲】
【請求項１】
燃料電池の評価対象品を挟み込む一対の集電体を持つ集電部が該評価対象品を挟み込む方向に複数配列してなる集電列部と、
該集電列部の両端部に配置され、該集電部をその配列方向に移動させつつ該集電列部を圧縮する加圧手段と、
互いに隣接する該集電部の間にそれぞれ介在し、該加圧手段が該集電列部を圧縮する際に該配列方向に移動するとともに該加圧手段が加えた荷重を互いに隣接する該集電部に伝達する加重点部と、を持ち、
対をなす該集電体の少なくとも一方は、該配列方向と交叉する方向に移動可能であることを特徴とする燃料電池の性能評価装置。
【請求項２】
前記集電部は、対をなす前記集電体の相対位置を固定する固定手段を持つ請求項１に記載の燃料電池の性能評価装置。
【請求項３】
対をなす前記集電体の一方である基準側集電体は、前記配列方向にのみ移動可能であり、
対をなす前記集電体の他方であるならい側集電体は、前記配列方向と前記配列方向と交叉する方向とに移動可能である請求項１または請求項２に記載の燃料電池の性能評価装置。
【請求項４】
前記加重点部は、前記加重点部に隣接する前記集電体の少なくとも一方を前記配列方向と交叉する方向に移動可能であるように支持している請求項１〜請求項３の何れか一つに記載の燃料電池の性能評価装置。
【発明の詳細な説明】
【技術分野】
【０００１】
本発明は、固体高分子形燃料電池の性能評価装置に関する。
【背景技術】
【０００２】
一般的な固体高分子形燃料電池は、複数の単セルが直列接続されてなるモジュール（セルスタックともいう）からなる。単セルは、一般に、固体高分子膜（電解質）と固体高分子膜の一方の面に積層されている触媒層（アノード）と固体電解質膜の他方の面に積層されている触媒層（カソード）とが一体化されてなる膜−電極接合体（Ｍｅｍｂｒａｎｅ  Ｅｌｅｃｔｒｏｄｅ  Ａｓｓｅｍｂｌｙ、ＭＥＡ）を、一対のセパレータで挟み込んでなる。ＭＥＡとセパレータとの間には、一般に、拡散層が積層される。拡散層は、触媒層に反応ガスを拡散させつつ供給するための層であり、触媒層と協働して電極を構成するため、電極の一部とみなされる場合もある。セパレータは、水素などの燃料ガスをアノードに供給するためのガス流路と、空気などの酸化ガスをカソードに供給するためのガス流路とを持つとともに、隣接するセル間における電子の流路を構成している。
【０００３】
この種の固体高分子形燃料電池の性能を評価する装置として、従来より種々のものが提案されている（例えば、特許文献１〜２参照）。
【０００４】
特許文献１〜２に紹介されている燃料電池の性能評価装置は、ＭＥＡまたはＭＥＧＡ（ＭＥＡと拡散層との積層体）を使用時と同様の荷重、温度状態におき、使用時と同じ反応ガスを供給して、ＭＥＡの性能や、セパレータの流路性能などを評価する。
【０００５】
この燃料電池の性能評価装置においては、ＭＥＡまたはＭＥＧＡ（以下、燃料電池の評価対象品と呼ぶ）を一対の集電体で挟み込む。集電体は、燃料電池におけるセパレータに相当する。したがって、燃料電池の性能を精度高く評価するためには、集電体と評価対象品とを均一に密着させる必要がある。
【０００６】
特許文献２には、集電体に出力配線を直接取り付ける代わりに、集電体に接続される集電軸に出力端子としての機能を持たせることで、集電体の傾きを抑制して集電体と評価対象品とを均一に密着させる（すなわち、集電体と評価対象品との偏当たりを抑制する）技術が開示されている。
【０００７】
ところで、特許文献１〜２に紹介されている燃料電池の性能評価装置では、一つの評価対象品を評価することはできるが、複数の評価対象品を同時に評価することができない。したがって、この種の燃料電池の性能評価装置は、評価効率を向上させ難い問題があった。また、この種の燃料電池の性能評価装置では、複数の評価対象品の性能を同一条件で評価するのが困難であった。
【特許文献１】特開２００３−２０３６６７号公報
【特許文献２】特開２００６−２９４４６３号公報
【発明の開示】
【発明が解決しようとする課題】
【０００８】
本発明は上記事情に鑑みてなされたものであり、評価対象品を高精度かつ効率良く評価できる燃料電池の性能評価装置を提供することを目的とする。
【課題を解決するための手段】
【０００９】
上記課題を解決する本発明の燃料電池の性能評価装置は、燃料電池の評価対象品を挟み込む一対の集電体を持つ集電部が評価対象品を挟み込む方向に複数配列してなる集電列部と、集電列部の両端部に配置され、集電部をその配列方向に移動させつつ集電列部を圧縮する加圧手段と、互いに隣接する集電部の間にそれぞれ介在し、加圧手段が集電列部を圧縮する際に配列方向に移動するとともに加圧手段が加えた荷重を互いに隣接する集電部に伝達する加重点部と、を持ち、対をなす集電体の少なくとも一方は、配列方向と交叉する方向に移動可能であることを特徴とする。
【００１０】
本発明の燃料電池の性能評価装置は、下記の（１）〜（３）の何れかを備えるのが好ましい。（１）〜（３）の複数を備えるのがより好ましい。
【００１１】
（１）上記集電部は、対をなす上記集電体の相対位置を固定する固定手段を持つ。
【００１２】
（２）対をなす上記集電体の一方である基準側集電体は、上記配列方向にのみ移動可能であり、対をなす上記集電体の他方であるならい側集電体は、上記配列方向と上記配列方向と交叉する方向とに移動可能である。
【００１３】
（３）上記加重点部は、上記加重点部に隣接する上記集電体の少なくとも一方を上記配列方向と交叉する方向に移動可能であるように支持している。
【発明の効果】
【００１４】
本発明の燃料電池の性能評価装置は複数の集電部を持つ。それぞれの集電部は、評価対象品を挟み込む一対の集電体を持つ。そして、各集電部は評価対象品を挟み込む方向に複数配列する。本発明の燃料電池の性能評価装置によると、各集電部にそれぞれ異なる評価対象品を挟み込むことで、複数の評価対象品を同時に評価できる。このため、評価対象品の評価効率が向上する。
【００１５】
また、複数の集電部を評価対象品を挟み込む方向に複数配列（すなわち、集電部を直列に配列）して、加圧手段が加えた荷重を隣接する集電部に伝達することで、各集電部には同じ大きさの荷重が加わる。したがって、本発明の燃料電池の性能評価装置によると、複数の評価対象品を同じ条件で評価できる。
【００１６】
ところで、多数の評価対象品を同時に評価する場合には、集電部の個数が多くなる。この場合には、集電列部の重量が大きくなるため、集電列部を支持する部材が撓む場合がある。すると、複数の集電部を直線的に配列させ難くなり、対をなす集電体同士が位置ズレして、集電体と評価対象品とが偏当たりする可能性がある。また、集電部の個数が多くなると、集電列部の列長が長くなる。このことによっても、複数の集電部を直線的に配列させ難くなり、加圧手段が加えた荷重を隣接する集電部間で直線的に伝達し難くなる。この場合には、集電体と評価対象品とが偏当たりするとともに、各評価対象品に同じ大きさの荷重を加え難くなる可能性がある。
【００１７】
本発明の燃料電池の性能評価装置は、複数の集電部に加えて、複数の加重点部を持つ。各加重点部は、それぞれ、隣接する集電部の間に介在し、加圧手段が加えた荷重（以下、単に荷重と略する）を互いに隣接する集電部に伝達する。換言すると、互いに隣接する集電部は、加重点部を介して荷重を伝達する。例えば、隣接する集電部同士が互いに当接して荷重を伝達する場合には、集電部の傾きによる影響を、隣接する他の集電部が受ける場合がある。しかし、本発明の燃料電池の性能評価装置によると、互いに隣接する集電部が加重点部を介して荷重を伝達することで、集電部の傾きによる影響を隣接する他の集電部が受け難くなる。このため、集電体と評価対象品との偏当たりを抑制できる。
【００１８】
また、対をなす集電体の少なくとも一方は、配列方向と交叉する方向に変位可能であるため、複数の集電部が直線的に配列せずに対をなす集電体が互いに位置ズレした場合にも、対をなす集電体の互いに対向する面を平行にすることができる。このため、集電体と評価対象品との偏当たりを抑制できる。よって、本発明の燃料電池の性能評価装置によると、集電体と評価対象品との偏当たりを信頼性高く抑制できる。
【００１９】
上記（１）を備える本発明の燃料電池の性能評価装置は、固定手段によって対をなす集電体の相対位置を固定することで、対をなす集電体の互いに対向する面（以下、対向面と呼ぶ）を平行にした状態で対をなす集電体を固定できる。したがって、集電体と評価対象品との偏当たりをより信頼性高く抑制できる。
【００２０】
上記（２）を備える本発明の燃料電池の性能評価装置は、対をなす集電体の一方（基準側集電体）の配列方向以外の方向への移動を抑止するとともに、対をなす集電体の他方（ならい側集電体）のみを配列方向以外の方向に移動させることで、基準側集電体とならい側集電体との対向面を互いに平行に配置でき、かつ、各評価対象品を各集電部に容易に組み付けることができる。このため、上記（２）を備える燃料電池の性能評価装置によると、評価対象品を高精度かつさらに効率良く評価できる。
【００２１】
上記（３）を備える本発明の燃料電池の性能評価装置は、加重点部が自身に隣接する集電体を支持する構成にしたことで、燃料電池の性能評価装置の形状を単純化できる。このため、燃料電池の性能評価装置の製造コストを低減できる。
【発明を実施するための最良の形態】
【００２２】
本発明の燃料電池の性能評価装置は、ＭＥＧＡの性能を評価しても良いし、ＭＥＡの性能を評価しても良い。例えば、集電体の評価対象品側に拡散層を取り付ければ、ＭＥＡの性能を評価することもできる。この場合、拡散層は、集電体に一体化していても良いし、集電体に脱着可能にしても良い。本発明の燃料電池の性能評価装置は、同種の評価対象品を同時に評価しても良いし、異種の評価対象品を同時に評価しても良い。集電体は、集電部に一体化されていても良いし、集電部に脱着可能であっても良い。
【００２３】
評価対象品に反応ガスを供給するガス供給手段、評価対象品の出力電圧を取り出すための出力配線、評価対象品を所定の温度に加熱する加熱手段などは、集電部に一体化しても良いし、集電部と別体であっても良い。特許文献２に紹介されている燃料電池の性能評価装置と同様に、集電部に集電軸を設けて、ガス供給手段、出力配線、加熱手段等を集電軸に一体化しても良い。
【００２４】
集電体および集電部は、一般的な燃料電池の性能評価装置（例えば特許文献１〜２に紹介されている燃料電池の性能評価装置）における集電体および集電部と同様の構成にすればよい。
【００２５】
加重点部は、配列方向にのみ移動可能であっても良いし、配列方向と交叉する方向と配列方向とに移動可能であっても良い。また、加重点部は、集電部と別体であっても良いし、一体であっても良い。加重点部によって、隣接する集電部の一部（すなわち集電部のなかで加重点部に隣接する側の集電体を含む部分）を支持すれば、燃料電池の性能評価装置の形状を単純化できる。加重点部が集電部と別体であれば、隣接する集電部間で集電部の傾きを伝達し難くなる。なお、隣接する集電部間における集電部の傾きの伝達をより信頼性高く抑制するためには、配列方向と直交する方向における加重点部の断面は、対向面よりも小さいことが好ましい。
【００２６】
加重点部は、自身に隣接する集電部と、点接触しても良いし面接触しても良い。加重点部が集電部と点接触する場合には、集電部の傾きを隣接する他の集電部に伝達し難いため、集電体と評価対象品との偏当たりを信頼性高く抑制できる。
【実施例】
【００２７】
以下、具体例を挙げて本発明の燃料電池の性能評価装置を説明する。
【００２８】
（実施例１）
実施例１の燃料電池の性能評価装置は、上記（１）〜（２）を備える。実施例１の燃料電池の性能評価装置は、ＭＥＧＡを評価する。実施例１の燃料電池の性能評価装置を模式的に表す側面図を図１〜図３に示す。以下、上、下、前、後とは、図１に示す上、下、前、後を指す。
【００２９】
実施例１の燃料電池の性能評価装置１は、３つの集電部２と、２つの加重点部３と、加圧手段４と、ガイド手段５とを持つ。
【００３０】
ガイド手段５は、前後方向に伸びる金属製のレールからなる。加圧手段４は、ガイド手段５の前端部に固定されている固定側加圧部４１と、ガイド手段５の後端部に固定されている駆動側加圧部４２とを持つ。固定側加圧部４１は、後述する第１集電部２１の前当接端部２０１に対面する受圧部４１０を持つ。受圧部４１０の後面は後側に膨出する曲面状をなす。駆動側加圧部４２は、後述する第３集電部２３の後当接端部２００に対面する加圧部４２０を持つ。加圧部４２０の前面は前側に膨出する曲面状をなす。加圧部４２０は、前後方向に移動可能である。
【００３１】
３つの集電部２（第１集電部２１、第２集電部２２、第３集電部２３）は、第１集電部２１、第２集電部２２、第３集電部２３の順に前から後に向けて配列している。実施例１の燃料電池の性能評価装置１においては、第１集電部２１、第２集電部２２、および第３集電部２３が集電列部を構成している。第１集電部２１、第２集電部２２、および第３集電部２３は同じ形状である。
【００３２】
各集電部２は、一対の集電体６と、支持部材７とを持つ。一対の集電体６（第１集電体６１、第２集電体６２）は、燃料電池における一対のセパレータに相当する。第１集電体６１および第２集電体６２はカーボン製である。第１集電体６１は第２集電体６２よりも前側に配置されている。第１集電体６１は図略の評価対象品（ＭＥＧＡ）のアノード側の面に当接し、第２集電体６２は図略のＭＥＧＡのカソード側の面に当接する。第１集電体６１には、燃料ガス用のガス流路（図略）が形成されている。第２集電体６２には酸化ガス用のガス流路（図略）が形成されている。
【００３３】
支持部材７は、一対の電極支持部（第１電極支持部７１、第２電極支持部７２）と、一対の脚部（第１脚部７３、第２脚部７４）とを持つ。第１電極支持部７１は第１集電体６１を支持し、第２電極支持部７２は第２集電体６２を支持する。さらに、第１電極支持部７１と第２電極支持部７２とは、ねじ穴（図略）を持つ。このねじ穴にはボルトからなる固定手段８０が取り付けられる。そして、第１電極支持部７１と第２電極支持部７２とは固定手段８０によって、固定可能である。
【００３４】
第１電極支持部７１は、燃料ガスを第１集電体６１に供給する第１供給手段（図略）、第１集電体６１に電気的に接続する出力配線（図略）、第１集電体６１を加熱する加熱手段（図略）を持つ。 第２電極支持部７２は、酸化ガスを第２集電体６２に供給する第２供給手段（図略）、第２集電体６２に電気的に接続する出力配線（図略）、第２集電体６２を加熱する加熱手段（図略）を持つ。
【００３５】
第１脚部７３および第２脚部７４は、ガイド手段５にスライド可能に取り付けられている。第１電極支持部７１は第１脚部７３に固定されている。第２脚部７４の上端は球状をなす。第２電極支持部７２には、第２脚部７４の上端に対応する形状の孔部が設けられており、第２脚部７４の上端はこの孔部に挿入されている。このため、第２電極支持部７２は、第２脚部７４の上端を中心として揺動可能である。換言すると、第２電極支持部７２は、ガイド手段５に対してフローティング保持されている。以下、第１電極支持部７１と第１脚部７３とが一体化した部材を第１分体７ａと呼び、第２電極支持部７２と第２脚部７４とが一体化した部材を第２分体７ｂと呼ぶ。
【００３６】
２つの加重点部３の一方である第１加重点部３１は、第１集電部２１と第２集電部２２との間に配置されている。２つの加重点部３の他方である第２加重点部３２は、第２集電部２２と第３集電部２３との間に配置されている。第１加重点部３１および第２加重点部３２は同じ形状である。
【００３７】
各加重点部３は、第３脚部３３と加重本体部３４とを持つ。第３脚部３３はガイド手段５にスライド可能に取り付けられている。第３脚部３３の上端は上下方向に伸びる軸状をなす。加重本体部３４は、２つの加重端部（第１加重端部３４１、第２加重端部３４２）を持つ。第１加重端部３４１は前側に配置され、第２加重端部３４２は後側に配置されている。第１加重端部３４１の前面は、前側に膨出する曲面状をなす。第２加重端部３４２の後面は、後側に膨出する曲面状をなす。加重本体部３４には、第３脚部３３の上端に対応する形状の孔部が設けられており、第３脚部３３の上端はこの孔部に挿入されている。このため、加重本体部３４は、第３脚部３３の上端を中心として揺動可能である。
【００３８】
以下、実施例１の燃料電池の性能評価装置１の動作を説明する。
【００３９】
先ず、各集電部２の第１分体７ａと第２分体７ｂとをスライドレール部に対してスライドさせ、第１分体７ａと第２分体７ｂとを前後方向に離間させる。そして、ＭＥＧＡを各集電部２における第１集電体６１と第２集電体６２との間にそれぞれ挟み込む。そして、第１電極支持部７１と第２電極支持部７２とを固定手段８０によって固定する。このとき、第１集電体６１と第２集電体６２との相対位置が固定される。そして、駆動側加圧部４２を前方に移動させて、加圧部４２０によって第３集電部２３の後側端部（後当接端部２００）を前方に押圧する。加圧部４２０に押圧された第３集電部２３は前方にスライドし、前側端部（前当接端部２０１）で第２加重点部３２の第２加重端部３４２を押圧する。第３集電部２３に押圧された第２加重点部３２は前方にスライドして、第１加重端部３４１で第２集電部２２の後当接端部２００を押圧する。第２加重点部３２に押圧された第２集電部２２は前方にスライドして前当接端部２０１で第１加重点部３１の第２加重端部３４２を押圧する。第２集電部２２に押圧された第１加重点部３１は前方にスライドして第１加重端部３４１で第１集電部２１の後当接端部２００を押圧する。第１加重点部３１に押圧された第１集電部２１は前方にスライドして前当接端部２０１で受圧部４１０に当接する。このため、各集電部２および各加重点部３は、配列方向（前後方向）に移動しつつ圧縮される。各第１荷重端部３４１、第２加重端部３４２、後当接端部２００および前当接端部２０１は、ほぼ同軸的に配置されているため、加圧手段４による荷重は、それぞれ対応する加重点部３を介して互いに隣接する集電部２に伝達される。このため、各集電部２には、同じ大きさの荷重が加わる。このため、実施例１の燃料電池の性能評価装置１によると、複数のＭＥＧＡの性能を同じ条件で同時に評価できる。
【００４０】
ところで、図２に示すように、ガイド手段５が撓むと、各集電部２はガイド手段５の撓みに応じた方向（図２中矢印Ａ方向）に配列する。図２に示す場合には、第２集電部２２の第１分体７ａと第２分体７ｂとが互いに交叉する方向に傾き、第２集電部２２の第１集電体６１と第２集電体６２とが互いに交叉する方向に傾く。このため、この状態で第２集電部２２の第１集電体６１と第２集電体６２との間にＭＥＧＡを挟み込むと、第１集電体６１と第２集電体６２とがＭＥＧＡに偏当たりする。
【００４１】
しかし、実施例１の燃料電池の性能評価装置１では、第２分体７ｂの第２電極支持部７２が第２脚部７４に対して揺動可能である。このため、図３に示すように、第２電極支持部７２を第２脚部７４に対して揺動させて、第１集電体６１と第２集電体６２とを平行に配置することができる。そして、第１集電体６１と第２集電体６２とが平行になった状態で、第１集電体６１と第２集電体６２とでＭＥＧＡを挟み込み、固定手段８０で固定することで、第１集電体６１とＭＥＧＡとの偏当たりおよび第２集電体６２とＭＥＧＡとの偏当たりを抑制できる。このため、実施例１の燃料電池の性能評価装置１によると、ＭＥＧＡの性能を精度高く評価できる。なお、実施例１の燃料電池の性能評価装置１における第２集電体６２は、本発明におけるならい側集電体に相当し、第１集電体６１は本発明における基準側集電体に相当する。
【００４２】
また、互いに隣接する集電部２は加重点部３を介して荷重を伝達し、直接当接しない。このため、集電部２の傾きは隣接する集電部２に伝達しない。このことによっても、実施例１の燃料電池の性能評価装置１では、第１集電体６１とＭＥＧＡとの偏当たり、および第２集電体部６２とＭＥＧＡとの偏当たりを信頼性高く抑制できる。
【００４３】
また、各加重点部３の加重本体部３４は、第３脚部３３に対して揺動可能であるため、各集電部２の傾きや第２電極支持部７２の第２脚部７４に対する揺動などによって前当接端部２０１や後当接端部２００が位置ズレした場合にも、第１加重端部３４１や第２加重端部３４２は、それぞれ対応する前当接端部２０１や後当接端部２００に当接する。このことによっても、実施例１の燃料電池の性能評価装置１では、第１集電体６１とＭＥＧＡとの偏当たり、および第２集電部６２とＭＥＧＡとの偏当たりを信頼性高く抑制できる。
【００４４】
（実施例２）
実施例２の燃料電池の性能評価装置は、上記（１）〜（３）を備える。実施例３の燃料電池の性能評価装置は、第１加重点部が隣接する第１電極支持部と第２電極支持部とを支持していること以外は、実施例１の燃料電池の性能評価装置と同じである。実施例２の燃料電池の性能評価装置を模式的に表す側面図を図４に示す。
【００４５】
実施例２の燃料電池の性能評価装置１は、２つの加重点部３（第１加重点部３１、第２加重点部３２）を持つ。第１加重点部３１および第２加重点部３２は同形状である。各加重点部３は、第３脚部３３と加重本体部３４とを持つ。第３脚部３３はガイド手段５にスライド可能に取り付けられている。第３脚部３３の上端は上下方向に伸びる軸状をなす。加重本体部３４は、第３脚部３３の上端に対応する形状の孔部を持つ。第３脚部３３の上端はこの孔部に挿入され、加重本体部３４は第３脚部３３の上端を中心として揺動可能である。さらに、加重本体部３４は、後述する第２電極支持部７２の後当接端部２００に対応する形状の孔部を持つ。この孔部には第２電極支持部７２の後当接端部２００が挿入される。
【００４６】
実施例２の燃料電池の性能評価装置１における第１集電部２１、第２集電部２２、および第３集電部２３は、実施例１の燃料電池の性能評価装置１と同じ第１電極支持部７１および第２電極支持部７２を持つ。第１集電部２１の第１電極支持部７１は、実施例１の燃料電池の性能評価装置１と同じ第１脚部７３に固定されている。第１脚部７３はガイド手段５にスライド可能に取り付けられている。第１集電部２１の第２電極支持部７２の後端部（後当接端部２００）は、球状をなす。そして、後当接端部２００は第１加重点部３１の孔部に挿入されている。したがって、第１集電部２１の第２電極支持部７２は、後当接端部２００を中心として揺動可能である。
【００４７】
第２集電部２２の第１電極支持部７１は、第１加重点部３１の加重本体部３４に固定されている。第２集電部２２の第２電極支持部７２の後端部（後当接端部２００）は、第１集電部２１の後当接端部２００と同様に、第２加重点部３２の加重本体部３４に揺動可能に支持されている。第３集電部２３の第１電極支持部７１は、第２加重点部３２の加重本体部３４に固定されている。第３集電部２３の第２電極支持部７２は、実施例１の燃料電池の性能評価装置１における第３集電部２３の第２電極支持部７２と同様に、第２脚部７４に揺動可能に支持されている。
【００４８】
実施例２の燃料電池の性能評価装置１においては、第１集電部２１の第２電極支持部７２および第２集電体６２と、第２集電部２２の第１電極支持部７１および第１集電体６１と、が第１加重点部３１に支持されている。また、第２集電部２２の第２電極支持部７２および第２集電体６２と、第３集電部２３の第１電極支持部７１および第１集電体６１と、が第２加重点部３２に支持されている。このため、実施例２の燃料電池の性能評価装置１は、単純な形状になり、安価に製造できる。また、単純な形状であるために、取り扱い性に優れる。
【００４９】
また、第１集電部２１の第２電極支持部７２および第２集電体６２、第２集電部２２の第２電極支持部７２および第２集電体６２、第３集電部２３の第２電極支持部７２および第２集電体６２は、それぞれ、揺動可能である。このため、第１集電部２１、第２集電部２２、および第３集電部２３が直線上に配列しない場合にも、各第２集電体６２をそれぞれ対をなす第１集電体６１と平行な方向に配置できる。よって、実施例２の燃料電池の性能評価装置１においても、第１集電体６１とＭＥＧＡとの偏当たりおよび第２集電体６２とＭＥＧＡとの偏当たりを抑制できる。このため、実施例２の燃料電池の性能評価装置１もまた、ＭＥＧＡの性能を精度高く評価できる。
【図面の簡単な説明】
【００５０】
【図１】実施例１の燃料電池の性能評価装置を模式的に表す側面図である。
【図２】実施例１の燃料電池の性能評価装置を模式的に表す側面図である。
【図３】実施例１の燃料電池の性能評価装置を模式的に表す側面図である。
【図４】実施例２の燃料電池の性能評価装置を模式的に表す側面図である。
【符号の説明】
【００５１】
１：燃料電池の性能評価装置            ２、２１、２２、２３：集電部
３、３１、３２：加重点部              ４：加圧手段
６、６１、６２：集電体                ８０：固定手段
【図１】
0005136077.tif 000002
【図２】
0005136077.tif 000003
【図３】
0005136077.tif 000004
【図４】
0005136077.tif 000005